【手続補正書】
【提出日】平成18年2月27日(2006.2.27)
【手続補正１】
【補正対象書類名】明細書
【補正対象項目名】全文
【補正方法】変更
【補正の内容】
【書類名】明細書
【発明の名称】  パチンコ機
【特許請求の範囲】
【請求項１】
遊技盤面に遊技球の流下方向を変化させる障碍釘を備えたパチンコ機であって、
前記障碍釘は、遊技盤に固定される装置本体と、前記装置本体に回転自在に装着される自転障碍釘と、前記自転障碍釘を回転させる駆動源とで構成され、
前記自転障碍釘は回転駆動軸部と前記遊技盤より前面に突出する障碍部と、前記回転駆動軸部と障碍部との間に設けられるフランジとを備え、前記フランジに前記障碍部を前記回転駆動軸部の軸線と偏芯して設けたことを特徴とするパチンコ機。
【請求項２】
遊技盤面に遊技球の流下方向を変化させる障碍釘を備えたパチンコ機であって、
前記障碍釘は、遊技盤に固定される装置本体と、前記装置本体に回転自在に装着される自転障碍釘と、前記自転障碍釘を回転させる駆動源とで構成され、
前記自転障碍釘は回転駆動軸部と、前記遊技盤より前面に突出する障碍部と、前記回転駆動軸部と障碍部との間に設けられるフランジとを備え、前記障碍部の断面を非円形断面に形成すると共に前記自転障碍釘を前記装置本体に対して交換自在に設けたことを特徴とするパチンコ機。
【請求項３】
前記装置本体に前記自転障碍釘を遊技球が通過する間隔を隔てて設けたことを特徴とする請求項１又は２記載のパチンコ機。
【発明の詳細な説明】
【０００１】
【発明の属する技術分野】
本発明はパチンコ機の遊技盤面に設ける障碍釘に関し、障碍釘を自転させることにより遊技球が弾発する際の遊技球位置、方向に変化を持たせ、遊技における興趣性を高めたパチンコ機に関する。
【０００２】
【従来の技術】
立設したパチンコ機の遊技盤面には多数の障碍釘が打設されており、盤面の上部に発射された遊技球の落下位置を誘導したり、また盤面上を落下移動する遊技球の到達先、入賞口に向けて変化しながら落下する遊技球の運動、等が楽しめるように、多数の障碍釘が打設されている。これらの釘は遊技盤面に打設されており、細かな調整は釘調整器具を用いて行えるが、大きな釘パターンの変更は困難であった。
そこで遊技盤面の釘の一部を出没自在に設け、ゲーム中にこの出没釘を所定時間突出させたり引っ込ませたりして球の動きに変化を持たせるようにしたパチンコ機が開示されている。
また遊技盤面上に、多数の釘状突起を配置した円盤を回転させ、この釘付き回転円盤の上方に打ち玉を流下させ、遊技球が転々と回転円盤上の釘間を流下する複雑な移動をもって興趣を計るパチンコ機が開示されている。
【０００３】
【特許文献１】
実開平５−５３６８７号公報
【特許文献２】
実公昭５６−４０５４号公報
【０００４】
【発明が解決しようとする課題】
上記文献の遊技盤上に出没する障碍釘は、遊技球が出没釘に当接したりまた当接しなかったりするので、遊技球落下に変化が得られゲームとして興趣が得られるものの、出没釘が遊技盤面に突出する際に、遊技盤面を落下する遊技球に出没釘の先端が衝突し、遊技球を前面ガラスに衝突させたり、ガラス面との間に遊技球を挟んでしまったりすることがある。その結果、遊技球がガラス面を破損させる問題があった。また盤面上に出没する釘は、盤面の正面から見る遊技者にとって釘の出没状態が目立ち難く気付かない場合があり、遊技者にとっては興趣が今ひとつであった。また盤面から出没する釘の変化状態は、釘が有るか、釘が無いか、であって、遊技球が出没釘に当接するかしないかの変化であり、今一つ大きな興趣に欠ける面があった。
【０００５】
また遊技盤面上に多数の釘状突起を打設した円盤を回転させ、この釘付き回転円盤の上方から打ち玉を流下させて遊技球が転々と流下する複雑な移動を楽しむようにしたパチンコ機については、興趣が得られるものの、装置が複雑で大型になる課題があった。
本発明は上記の課題を解消して、ガラス面に遊技球を衝突させることによるガラス面の損傷を防止し、また遊技者から遊技盤面上の釘の障碍変化を容易に確認でき、また装置が大型にならず、個々の入賞口にも対応でき、釘に障碍変化が得られ、興趣に優れたパチンコ機を提供するものである。
【０００６】
【課題を解決するための手段】
請求項１記載の発明は、遊技盤面に遊技球の流下方向を変化させる障碍釘を備えたパチンコ機であって、前記障碍釘は、遊技盤に固定される装置本体と、前記装置本体に回転自在に装着される自転障碍釘と、前記自転障碍釘を回転させる駆動源とで構成され、前記自転障碍釘は回転駆動軸部と前記遊技盤より前面に突出する障碍部と、前記回転駆動軸部と障碍部との間に設けられるフランジとを備え、前記フランジに前記障碍部を前記回転駆動軸部の軸線と偏芯して設けたことを特徴とする。
自転する障碍釘の回転駆動軸部と遊技盤上に表れる障碍部とが偏芯状態で回転駆動軸部が回転すると、遊技盤上の障碍釘の軌跡は偏芯した距離を半径とする円を描いて回転し、偏芯割合に応じて障碍釘の軌跡が変化する。
遊戯中に障碍釘が自転して釘の障碍位置が変化するため、遊技盤上を移動する遊技球がこの自転障碍釘に当接すると、遊技球の反発方向が変化して、従来の固定障碍釘に当接した場合とは異なる方向へ弾発する。従って例えば入賞口入り口にこの自転障碍釘を設けた場合、入賞口入り口の障碍間隔が広くなったり狭くなったりして、遊技球が通過する２本の間隔が広くても入賞できない場合や、２本の間隔が狭くても入賞する意外性が生じ、遊技者にとってゲームの興趣性が高まる。
【０００７】
また本発明の請求項２の発明は、遊技盤面に遊技球の流下方向を変化させる障碍釘を備えたパチンコ機であって、前記障碍釘は、遊技盤に固定される装置本体と、前記装置本体に回転自在に装着される自転障碍釘と、前記自転障碍釘を回転させる駆動源とで構成され、前記自転障碍釘は回転駆動軸部と、前記遊技盤より前面に突出する障碍部と、前記回転駆動軸部と障碍部との間に設けられるフランジとを備え、前記障碍部の断面を非円形断面に形成すると共に前記自転障碍釘を前記装置本体に対して交換自在に設けたことを特徴とする。
遊技盤上の球障碍部断面が円形でなく非円形断面であるから、非円形断面即ち真円以外の楕円や三角、菱形等の障碍部断面が自転することで、回転駆動部と障碍部とが同芯状態で回転しても、例えば楕円断面の長軸部が球の落下に当接し易く、短軸部が球の落下に当接し難いため、楕円断面の障碍釘が自転することによって障碍の軌跡が変化し、興趣が増す。
また、前記自転障碍釘を駆動源と別途交換自在に設けたことにより、障碍部の断面が楕円，四角，半月状等の異なる自転障碍釘に交換することで、障碍範囲が同じであっても、遊技球が当接した際の弾発方向が異なり、種々の反発変化が得られる。
【０００８】
また本発明の請求項３の発明は、請求項１又は２記載の発明において、前記装置本体に前記自転障碍釘を遊技球が通過する間隔を隔てて設けたことを特徴とする。
入賞口の入り口に設けられる２本対の障碍釘は従来は固定状態であり、障碍釘の間隔によって入賞確率が低い又は高い状態に固定しており、遊技者にとって興趣が薄れるが、この入賞口入り口の間隔、距離が広くなったり狭くなったりすることで、入賞確率が変化するため遊技者の興趣が高められる。
【０００９】
また、前記障碍部に突起物又はくぼみを設けるようにしてもよい。さらに障碍部をクランク状に屈曲してもよい。このようにすることで、遊技球が障碍部に当接した際の弾発方向が異なり種々の反発変化が生じ、遊技者にとって大きな興趣が得られる
【００１０】
また、前記自転障碍釘は、遊技盤内の回転駆動軸部と遊技盤上に突出する障碍部とを偏角して設けるようにしてもよい。
また自転障碍釘において、回転駆動軸部と障碍部とが偏角状態（曲がっている状態）、即ち回転駆動軸部から遊技盤上に突出する障碍釘部が遊技盤に垂直に立ち上がってなく、曲がった状態でもよく、例えば垂直より少し偏芯して８０度等に曲がっている場合、障碍釘の基部回転駆動軸部が同芯で回っても、盤面に立ち上がる障碍部の先端が最も偏芯しているので大きな円を描いて回転し、自転によって障碍の位置、軌跡が変化し、釘の先端ほど大きな軌跡を描いて回転する。
この場合、遊技盤上の障碍部断面が円形断面でも前記非円形断面であっても障碍の位置、軌跡が変化し、これに当接して弾発した際の遊技球の変化も大きく変わる。
【００１１】
また、前記自転障碍釘は、連続的に同じ速度で回転してもよく、また回転スピードが変化してもよく、更に回転が行われたり行われなかったり間欠的に回転してもよく、いずれも遊技球の障碍程度に変化をつけることができ、興趣性を高めることが出来る。
【００１２】
また、遊技盤上の入賞口入り口に遊技球が通過する間隔を隔てて２本対で設けた障碍釘において、前記２本の内の１本は固定しており、残りの１本は前記自転障碍釘で設けるようにしてもよい。
入賞口入り口に２本対で設けた障碍釘のうち、１本を自転障碍釘で設けて他の１本は従来の固定釘であっても、入賞口の入り口間隔は変化し、障碍の程度に変化がつけられる。
【００１３】
また、前記自転障碍釘は、該障碍釘が光って見えるように内部に光源を備えるようにしてもよい。
障碍釘は透明又は半透明な樹脂材料で設けることが出来、この樹脂製障碍釘の内部に光源を設けることで、光る障碍釘が得られる。障碍釘が自転し且つ光ることで、遊技者のとって障碍の軌跡変化が視認され、興趣性が高められる。
【００１４】
【発明の実施の形態】
以下、本発明の実施の形態を図面に基づいて説明する。
図１、図２は本発明の第１実施例を示すパチンコ機の自転障碍釘で、図１は上面断面図を示し、図２は図１の正面図を示す。図３は本発明の第２実施例を示すパチンコ機の自転障碍釘で上面断面図を示す。図４は本発明の第３実施例を示すパチンコ機の自転障碍釘の斜視図である。図５は本発明の第４実施例を示すパチンコ機の自転障碍釘の斜視図である。
図１，図２において、パチンコ機は遊技盤１とその前面に間隔をあけて配置されたガラス板２とを有し、遊技盤１とガラス板２との間を遊技球が落下する。遊技盤１の表面には、従来のものと同様の多数の障碍釘３が所定の釘配置パターンに従って打設されている。そして５、６は本発明の自転障碍釘で、遊技盤面上の入賞口４の入り口上部に設けられている。また図では省略しているが、遊技盤面１には図示の入賞口４、自転障碍釘５、６，通常の多数打設された障碍釘３以外にも、風車や液晶図柄表示装置等、図示しない役物や入賞口が多く配設されている。
【００１５】
遊技盤１の自転障碍釘５、６設置部には木製遊技盤１に貫通孔１１が形成され、貫通孔１１に自転釘装置本体１２が装着されている。自転釘装置本体１２には自転障碍釘５，６の回転駆動軸部５ａ、６ａが回転自在に装着され、回転駆動軸部５ａ、６ａの基端は歯車５ｂ、６ｂに形成され、駆動源のステッピングモータＭの駆動歯車Ｍ１にかみ合い、モータＭの回転によって自転障碍釘５、６がゆっくり回転するユニット構造となっている。自転釘装置本体１２は取付部１４で遊技盤１に固定されている。ステッピングモータＭは回転速度や回転方向が可変に制御され、自転障碍釘５，６も可変に自転回転される。遊技盤１より前面に突き出る部分は遊技球が通過する部分で、遊技球の障碍部５ｃ、６ｃとなり、例えば自転障碍釘５は障碍部５ｃが丸釘の半分が切り欠かれて、半月状断面に設けられ、自転障碍釘６の障碍部６ｃ断面は菱形断面形状に設けられている。
【００１６】
自転障碍釘５，６は回転駆動軸部５ａ、６ａのＥリング１３を外し、モータ歯車Ｍ１との噛み合いを外して、別の障碍釘と交換可能で、例えば半月状断面５ｃの自転障碍釘５を障碍部６ｃが菱形状断面の自転障碍釘６に取り替えたり、また楕円断面の自転障碍釘や長方形断面の自転障碍釘等に取り替え可能になっている。
図２の障碍部５ｃが半月状断面の自転障碍釘５では図２の釘回転位置で、上下に落下する遊技球に対して障碍範囲が最も少なく、また半月状断面の平面が上の場合と半月状断面の半円が上の場合とで障碍範囲が同じであっても、遊技球が当接した際の弾発方向が異なり、種々の反発変化が得られる。
図１のモータ歯車Ｍ１と自転障碍釘５，６の駆動歯車５ｂ、６ｂとの組合せでは、自転障碍釘５，６が同じ方向に回転するが、上記歯車の組合せを替えることによって、自転障碍釘５，６を互いに逆方向に回転させ、自転障碍釘５，６間の遊技球を下方向に誘導する回転方向にしたり、或いは自転障碍釘５，６間の遊技球を上方向に誘導する回転方向にしたりすることが出来る。
【００１７】
また左右の自転障碍釘５と６の自転は、各々の自転障碍釘５，６にそれぞれのモータＭを設けて回転させてもよい。また個々のモータＭの回転方向を変えてもよく、更に回転速度を変えてもよく、更にモータＭの回転を間欠的に回転させてもよい。従って図１，図２の２本の自転障碍釘５，６を互いに逆方向に回転させ、自転障碍釘５，６間の遊技球を下方向に誘導する回転方向にしたり、或いは自転障碍釘５，６間の遊技球を上方向に誘導する回転方向にしたり、或いはまた互いに下向きに誘導する方向に回転させたり上向きに誘導する方向に回転させたりを交互に行って、更に興趣を高めることが出来る。
【００１８】
図３は本発明の第２実施例を示すパチンコ機の自転障碍釘７，８で、上面から見た断面図を示す。本実施例の自転障碍釘７，８は遊技盤１の自転釘装置本体１２に装着した回転駆動軸部７ａ、８ａの軸線と遊技盤１上に突き出る障碍部７ｃ、８ｃの軸線とが偏芯しており、回転駆動軸部７ａ、８ａが回転すると、障碍部７ｃ、８ｃが偏芯分を半径とする円を描いて回転し遊技球障碍の軌跡が大きく変化する。このため、例えば入賞口４の上部入り口に設ける場合は、入り口の間隔が広くなったり狭くなったりして、遊技者にとって大きな興趣が得られる。
【００１９】
尚、図３では遊技盤１上に突き出る障碍部７ｃ、８ｃが直線状に延びているが、７ｃ、８ｃがクランク状に曲げられていてもよい。更にまた障碍部７ｃ、８ｃの表面に突起物を設けたりくぼみを設けたり、断面形状を丸や四角等に変えたりしてもよい。
また自転障碍釘７，８の回転駆動軸部７ａ、８ａの止めＥリング１３を外し、障碍部７ｃ、８ｃ部分の軸線と回転駆動軸部７ａ，８ａの軸線との偏芯度や断面などが異なる別の偏芯障碍釘とを取り替えることも可能である。
【００２０】
図４は本発明の第３実施例を示す斜視図で、入賞口４の上部入り口に固定障碍釘３と偏芯回転する自転障碍釘９とを設けた例を示す。この場合の自転障碍釘９は、基側回転駆動軸部９ａにステッピングモータＭを接続しており、遊技盤１上に突き出る障碍部９ｃが回転駆動軸部９ａと偏芯回転する。このように固定釘３に対して、自転障碍釘９が１個であっても入賞口の入り口の間隔が変化するので、入賞確率が変化し、興趣が得られる。
【００２１】
図５は本発明の第４実施例を示す自転障碍釘２０の分解斜視図で、各自転障碍釘２０の基側回転駆動軸部２０ａの駆動歯車２０ｂがステッピングモータＭの駆動歯車Ｍ１に接続して回転する。このユニットは遊技盤１に固定され、歯車の組合せ構造は前記第１実施例と同様である。前記実施例と異なる点は自転障碍釘２０の構造であり、遊技盤１上に突き出る障碍部２０ｃは、装置本体１２に装着される回転駆動軸部２０ａの軸線とそれぞれ外方に曲げられたように角度を持ち偏角している。このため自転回転時、遊技盤１上に突き出る障碍部２０ｃが首振り状に回転し、基部から釘先端へ障碍位置の軌跡が大きくなるように変化する。
尚、回転駆動軸部２０ａと障碍部２０ｃの間にはフランジ２１を設け、フランジ２１は装置本体１２の摺動嵌合部１５に嵌合して回転され、装置本体１２に安定して回転可能に取り付けられている。
【００２２】
本発明の更に別の実施例として、本発明の自転障碍釘は通常の盤面に固定された固定釘とは異なり、回転変化するため視認しやすく、大きな興趣が得られるが、更に遊技者が注目しやすい色でカラー配色してもよく、また更にこの自転障碍釘の先端にＬＥＤを設けて点灯させたり、自転障碍釘を透明な又は半透明な樹脂製で設け、障碍釘内にカラー光源を配置して障碍釘自体が光る様にして更に大きな興趣を得るようにしてもよい。
【００２３】
【発明の効果】
以上説明のように本発明のパチンコ機は、パチンコ機前面のガラス面に遊技球を衝突させることがないのでガラス面の損傷を防止し、また遊技者が自転障碍釘の動きを容易に視認できて興趣が得られ、また自転によって障碍変化をつけることが出来るので、遊技球に対して時々刻々大きな障碍変化が得られ、結果これに当接し弾発する遊技球も大きな移動変化が得られ、また障碍釘を打設してないので容易に別の異なる障碍釘と交換することが可能で、一層大きな興趣が得られるパチンコ機である。
【図面の簡単な説明】
【図１】本発明の第１実施例を示すパチンコ機の自転障碍釘の上面断面図である。
【図２】本発明の第１実施例を示すパチンコ機の自転障碍釘の正面図である。
【図３】本発明の第２実施例を示すパチンコ機の自転障碍釘の上面断面図である。
【図４】本発明の第３実施例を示すパチンコ機の自転障碍釘の斜視図である。
【図５】本発明の第４実施例を示すパチンコ機の自転障碍釘の斜視図である。
【符号の説明】
１  遊技盤
２  ガラス面
３  障碍釘
４  入賞口
Ｍ  ステッピングモータ
Ｍ１  ステッピングモータの駆動歯車
５，６  第１実施例の自転障碍釘
５ａ、６ａ、７ａ，８ａ、２０ａ  各自転障碍釘の回転駆動軸部
５ｂ、６ｂ、７ｂ、８ｂ、２０ｂ  各自転障碍釘の回転駆動軸部の歯車
５ｃ、６ｃ、７ｃ、８ｃ、９ｃ、２０ｃ  各自転障碍釘の障碍部
７，８  第２実施例の自転障碍釘
９  第３実施例の自転障碍釘
１２  自転障碍釘装置本体
１３  Ｅリング
１４  取付部
１５  周動嵌合部
２０  偏角障碍釘
２１  フランジ
M  モータ（駆動源）